(57)【要約】【課題】デッキ材の荷重に耐えられると共に小型化できて加工や施工の作業負担を軽減することができ、かつ意匠性を向上することができる連結桁およびこれを備えたバルコニーを提供すること。【解決手段】連結桁４０は、中空部４１を有する桁本体４２と、中空部４１に配置された補強材４３とを備えている。桁本体４２は、その長手方向に沿った両側縁部に根太掛け２８を有している。補強材４３は、桁本体４２の長手方向に延びている。【選択図】図３
2019065582.tif 000002
【特許請求の範囲】
【請求項１】
中空部を有する桁本体と、前記中空部に配置された補強材とを備えており、
前記桁本体は、その長手方向に沿った両側縁部に根太掛けを有しており、
前記補強材は、前記桁本体の長手方向に延びている
ことを特徴とする連結桁。
【請求項２】
請求項１に記載の連結桁において、
前記桁本体は、桁上片部、一対の桁側片部および桁下片部を有しており、
前記補強材は、補強上片部、一対の補強側片部および補強下片部を有しており、
前記補強上片部は、前記桁上片部に当接しており、
前記補強下片部は、前記桁下片部に当接している
ことを特徴とする連結桁。
【請求項３】
請求項２に記載の連結桁において、
前記根太掛けは、前記桁側片部に締結されており、
前記補強側片部には、その長手方向に延びた窪み部が形成されており、
前記根太掛けを前記桁側片部に固定した締結具は、前記中空部において前記窪み部に囲まれた空間に配置されている
ことを特徴とする連結桁。
【請求項４】
請求項２または請求項３に記載の連結桁において、
前記補強側片部には、前記桁側片部に向かって突出した当接突部が形成されている
ことを特徴とする連結桁。
【請求項５】
請求項３に記載の連結桁において、
前記根太掛けは、前記桁側片部に沿って配置された固定片部と、前記固定片部の下縁部から折曲した根太受け片部とを有しており、
前記補強側片部には、前記桁側片部に向かって突出した当接突部が形成されており、
前記当接突部は、前記窪み部よりも下方に配置されている
ことを特徴とする連結桁。
【請求項６】
請求項１から請求項５のいずれか一項に記載の連結桁において、
前記補強材は、前記桁本体の長手方向における端部に締結されている
ことを特徴とする連結桁。
【請求項７】
第一バルコニー部と、前記第一バルコニー部に連結された第二バルコニー部とを有しており、
前記第一バルコニー部および前記第二バルコニー部は、一対の支柱と、前記一対の支柱に取り付けられた桁材と、前記一対の支柱に取り付けられた妻梁と、前記桁材および前記妻梁によって形成される床部に配置された根太と、前記根太の上に複数並設されたデッキ材とをそれぞれ備えており、
前記第一バルコニー部における前記桁材は、請求項１から請求項６のいずれか一項に記載の連結桁によって構成されている
ことを特徴とするバルコニー。
【発明の詳細な説明】
【技術分野】
【０００１】
本発明は、戸建て住宅等の建物躯体に取り付けられるバルコニーの連結桁およびこれを備えたバルコニーに関する。
【背景技術】
【０００２】
従来、建物躯体に取り付けられる第一バルコニー部と、第一バルコニー部の前側に連結された第二バルコニー部とを有した奥行連結タイプのバルコニーが知られている（非特許文献１の１ページ左上部「奥行連結」を参照）。
第一バルコニー部および第二バルコニー部は、一対の支柱と、一対の支柱に取り付けられた桁材と、一対の支柱に取り付けられた妻梁と、桁材および妻梁によって形成される床部に配置された根太と、根太の上に複数並設されたデッキ材とをそれぞれ備えている。
第一バルコニー部における桁材は、当該第一、第二バルコニー部の双方の根太およびデッキ材が掛けられた連結桁として構成されている。第二バルコニー部における桁材は、連結桁よりも奥行方向において前方に位置した前桁として構成されている。
このように構成されたバルコニーに関し、図４では連結桁に符号１を付し、前桁に符号２を付し、デッキ材に符号３Ａ，３Ｂを付して示している。連結桁１は建物躯体側のデッキ材３Ａと前桁２側のデッキ材３Ｂとを連結しており、これによりバルコニーの床面積を広くとることができる。
【先行技術文献】
【非特許文献】
【０００３】
【非特許文献１】「’１５−９月改訂  組立・施工説明書  バルコニーＢＣ−Ｘ型」、’１５−９月発行、ＹＫＫＡＰ、［２０１７年８月２８日検索］、インターネット（http://manualweb.ykkap.co.jp/pdf_inter/100050/96656C201B00.pdf）
【発明の概要】
【発明が解決しようとする課題】
【０００４】
ところで、非特許文献１に記載のバルコニーでは、連結桁１は建物躯体側のデッキ材３Ａおよび前桁２側のデッキ材３Ｂの双方を支えるので、この連結桁１には、デッキ材３Ｂを支える前桁２に加わる荷重よりも大きな荷重が加わる。このため、連結桁１は、前述した大きな荷重に耐えられるだけの剛性が必要となるので前桁２よりも大きな上下寸法をもって形成されている。
このように連結桁１が大きな上下寸法をもって形成されると、連結桁１が前桁２よりも大きく重たいものとなるので加工や施工の作業負担を軽減することが困難である。また、前桁２および連結桁１の上面を略同じ高さ位置に揃えると、連結桁１が前桁２よりも図４に示す寸法Ａ分が下方に突出してしまい、バルコニーの意匠上好ましくない。
【０００５】
本発明の目的は、デッキ材の荷重に耐えられると共に小型化できて加工や施工の作業負担を軽減することができ、かつ意匠性を向上することができる連結桁およびこれを備えたバルコニーを提供することにある。
【課題を解決するための手段】
【０００６】
本発明の連結桁は、中空部を有する桁本体と、前記中空部に配置された補強材とを備えており、前記桁本体は、その長手方向に沿った両側縁部に根太掛けを有しており、前記補強材は、前記桁本体の長手方向に延びていることを特徴とする。
本発明の連結桁によれば、桁本体の長手方向に延びた補強材が中空部に配置されることで桁本体が補強されているので、デッキ材が載せられた根太などを両根太掛けで支えた場合に連結桁に加わる荷重に耐えられるだけの剛性を得ることができる。このため、桁本体の上下寸法を大きくして剛性を高める必要がなくなり、連結桁の小型化を図ることができる。また、桁本体を小型化できるので軽量にもなり、補強材を中空部に配置する前における桁本体の加工や施工の作業負担を軽減することができる。更に、前桁および連結桁の上面を略同じ高さ位置に揃えた場合でも、連結桁の下面の高さ位置を前桁の下面の高さ位置と同等の位置若しくは上方の位置に配置可能な寸法設計にすることができ、バルコニーの意匠性を向上することができる。
【０００７】
本発明の連結桁では、前記桁本体は、桁上片部、一対の桁側片部および桁下片部を有しており、前記補強材は、補強上片部、一対の補強側片部および補強下片部を有しており、前記補強上片部は、前記桁上片部に当接しており、前記補強下片部は、前記桁下片部に当接していることが好ましい。
このような構成によれば、連結桁の両根太掛けに加わる荷重によって桁本体が下方に撓められようとしても、桁上片部および桁下片部にそれぞれ当接した補強上片部および補強下片部によって桁本体の撓みを抑えることができる。
【０００８】
本発明の連結桁では、前記根太掛けは、前記桁側片部に締結されており、前記補強側片部には、その長手方向に延びた窪み部が形成されており、前記根太掛けを前記桁側片部に固定した締結具は、前記中空部において前記窪み部に囲まれた空間に配置されていることが好ましい。
このような構成によれば、根太掛けを締結した状態であっても補強材を当該締結具に干渉させずに中空部に挿入することができ、施工性を向上することができる。
【０００９】
本発明の連結桁では、前記補強側片部には、前記桁側片部に向かって突出した当接突部が形成されていることが好ましい。
このような構成によれば、補強側片部の当接突部が桁側片部に当接することで当該当接突部を除く部分が桁側片部に非当接となり、補強材の桁本体に対する接触領域を減らすことができる。このため、桁本体の中空部に補強材を挿入する際に生じる摩擦抵抗力を小さくでき、作業負担を軽減することができる。
【００１０】
本発明の連結桁では、前記根太掛けは、前記桁側片部に沿って配置された固定片部と、前記固定片部の下縁部から折曲した根太受け片部とを有しており、前記補強側片部には、前記桁側片部に向かって突出した当接突部が形成されており、前記当接突部は、前記窪み部よりも下方に配置されていることが好ましい。
このような構成によれば、根太掛けにデッキ材および根太の荷重が加わった際に根太掛けの締結部分のほか固定片部の下部が桁側片部に押し当てられるが、当接突部が締結部分よりも下方の位置で桁側片部に当接することで、桁本体を補強することができる。
【００１１】
本発明の連結桁では、前記補強材は、前記桁本体の長手方向における端部に締結されていることが好ましい。
このような構成によれば、桁本体の長手方向における端部から中空部に補強材を挿入した後、作業者は桁本体の長手方向の端部側の位置からほとんど移動することなく補強材を桁本体に締結することができ、作業負担を軽減することができる。
【００１２】
本発明のバルコニーは、第一バルコニー部と、前記第一バルコニー部に連結された第二バルコニー部とを有しており、前記第一バルコニー部および前記第二バルコニー部は、一対の支柱と、前記一対の支柱に取り付けられた桁材と、前記一対の支柱に取り付けられた妻梁と、前記桁材および前記妻梁によって形成される床部に配置された根太と、前記根太の上に複数並設されたデッキ材とをそれぞれ備えており、前記第一バルコニー部における前記桁材は、前述した本発明の連結桁によって構成されていることを特徴とする。
本発明のバルコニーによれば、第一、第二バルコニー部の双方のデッキ材の荷重が加えられる連結桁の桁本体が、当該桁本体の長手方向に延びた補強材によって補強されているので、前述した本発明の連結桁と同様の作用効果を発揮可能なバルコニーを構成することができる。
【発明の効果】
【００１３】
本発明によれば、デッキ材の荷重に耐えられると共に小型化できて加工や施工の作業負担を軽減することができ、かつ意匠性を向上することができる連結桁およびこれを備えたバルコニーを提供することができる。
【図面の簡単な説明】
【００１４】
【図１】本発明の実施形態に係るバルコニーの概略構造を示す斜視図。
【図２】前記実施形態に係るバルコニーを示す縦断面図。
【図３】前記実施形態に係るバルコニーの連結桁を示す縦断面図。
【図４】従来のバルコニーの連結桁を示す縦断面図。
【発明を実施するための形態】
【００１５】
［本実施形態の構成］
以下、本発明の実施形態を図面に基づいて説明する。
図１〜３において、本実施形態に係るバルコニー１０は、戸建て住宅等の建物躯体に取り付けられるものであり、第一バルコニー部１１と、第一バルコニー部１１に連結された第二バルコニー部１２とを有している。
なお、図においてＸ，Ｙ，Ｚ軸方向は互いに直交する方向であり、Ｘ軸方向はバルコニー１０の間口方向に沿っており、Ｙ軸方向はバルコニー１０の上下方向に沿っており、Ｚ軸方向はバルコニー１０の奥行方向に沿っている。また、図１では、説明の便宜上、バルコニー１０を第一バルコニー部１１と第二バルコニー部１２とに分離した状態を示している。
【００１６】
第一バルコニー部１１は、一対の支柱２１，２２と、支柱２１，２２に取り付けられた連結桁４０（桁材）および妻梁２３，２４と、連結桁４０および妻梁２３，２４とによって形成される床部２５に配置された複数の根太６０（図３参照）と、複数の根太６０の上に複数並設されたデッキ材７０とを備えている。妻梁２３，２４の上方には格子および笠木が組まれた手摺２６が設置されている。
連結桁４０は、Ｘ軸方向に沿って配置されていると共にその両端で支柱２１，２２に固定されている。妻梁２３は、Ｚ軸方向に沿って配置されていると共にその前端で支柱２１に固定されている。妻梁２４は、Ｚ軸方向に沿って配置されていると共にその前端で支柱２２に固定されている。
【００１７】
複数の根太６０は、Ｚ方向に沿ってそれぞれ配置されており、一端が連結桁４０にネジ止めされた根太掛け２８に掛けられてボルト止めされており、他端が建物躯体にネジ止めされた根太掛け２８に掛けられてボルト止めされている。これら複数の根太６０は、Ｘ軸方向に間隔を隔てて並設されている。
複数の根太６０の連結桁４０側の端部上面には、雨樋部材８０が取り付けられている。雨樋部材８０は、根太６０にネジ止めされた底片部８１と、底片部８１から立ち上げられた一対の側片部８２，８３と、側片部８２，８３のうち連結桁４０側の側片部８３からＺ軸方向に延出した当接片部８４とを有している。底片部８１および側片部８２，８３は雨樋部分を形成しており、当接片部８４は連結桁４０の後述する桁側片部４２２に当接している。この雨樋部材８０があるので、カバー材４５およびデッキ材７０間に入り込む雨水はそのまま落ちずに雨樋部材８０によって排水される。
なお、カバー材４５および取付片部４２７間、並びに雨樋部材８０の側片部８３および取付片部４２７はシーリングされている。
【００１８】
複数のデッキ材７０は、Ｘ軸方向に沿ってそれぞれ配置されており、一端が妻梁２３に当接しており、他端が妻梁２４に当接している。これら複数のデッキ材７０はＺ軸方向に並設されている。
各デッキ材７０は、図３に示すように、木粉を含有した合成樹脂製の押出形材によって形成されており、中空のデッキ本体部７１と、デッキ本体部７１の長手方向に沿った一方の側縁部に形成された鉤状の掛け片部７２と、デッキ本体部７１の長手方向に沿った他方の側縁部に形成された雨樋形状部７３とを有している。
デッキ本体部７１は、そのＺ軸方向における中央位置で根太６０にネジ止めされている。掛け片部７２は、デッキ本体部７１の一方の側縁部から延出した横延出片部７２１と、横延出片部７２１から下方に垂下した側片部７２２とを有している。雨樋形状部７３は、デッキ本体部７１の他方の側縁部から延出した底片部７３１と、底片部７３１から上方に立ち上げられた側片部７３２とを有している。また、底片部７３１よりも上方の位置には、デッキ本体部７１の他方の側縁部から延出した横延出片部７３３が形成されている。側片部７３２および横延出片部７３３間には、隣接するデッキ材７０の掛け片部７２を挿入可能な開口が形成されている。
Ｚ軸方向において連結桁４０に隣り合うデッキ材７０の掛け片部７２は、雨樋部材８０に掛けられている。本実施形態では側片部７２２が側片部８２に当接しているが、側片部８２が底片部８１および側片部８２，８３に囲まれた雨樋空間に配置されていれば側片部７２２から離間していてもよい。また、建物躯体に隣り合うデッキ材７０の雨樋形状部７３は、建物躯体に取り付けられた躯体側カバー材１００に上方から覆われており、躯体側カバー材１００に取り付けられたシール部材１０１が横延出片部７３３の上面に当接している。
【００１９】
連結桁４０は、図３に示すように、中空部４１を有する桁本体４２と、中空部４１に配置された補強材４３とを備えている。
桁本体４２は、アルミ押出形材によって形成されており、桁上片部４２１、一対の桁側片部４２２，４２３および桁下片部４２４を有している。
桁上片部４２１には、その長手方向に沿った両側縁部および両側縁部間の中央部に厚肉部４２５が形成されている。桁側片部４２２，４２３は、桁本体４２の長手方向に沿った両側縁部に配置されている。
桁側片部４２２，４２３の上部には、Ｚ軸方向に延出した取付片部４２７がそれぞれ形成されており、これら取付片部４２７には、カバー材４５がそれぞれ取り付けられている。また、桁側片部４２２，４２３には、根太掛け２８がそれぞれネジ止めされている。
桁下片部４２４には、本実施形態では凹部４２６が形成されているが、この凹部４２６はなくてもよい。
【００２０】
ここで、カバー材４５は、連結桁４０の長手方向に沿って板状に延びて形成されており、取付片部４２７にネジ止めされている。カバー材４５は、Ｚ軸方向において取付片部４２７から連結桁４０に隣り合うデッキ材７０の上面までにわたって配置されており、これにより連結桁４０およびデッキ材７０間を覆っている。また、カバー材４５の上面は桁上片部４２１の上面と面一に配置されている。
また、根太掛け２８は、固定片部２８１と、固定片部２８１の下縁部から折曲した根太受け片部２８２とを有して断面略Ｌ字状に形成されている。各根太掛け２８の固定片部２８１は、桁側片部４２２，４２３に沿って配置されており、締結具であるネジ１５によって桁側片部４２２，４２３にそれぞれ固定されている。
【００２１】
補強材４３は、スチール等の金属材料によって形成されており、桁本体４２の長手方向に延びている。補強材４３は、補強上片部４３１、一対の補強側片部４３２，４３３および補強下片部４３４を有している。
補強上片部４３１は、桁上片部４２１の各厚肉部４２５に当接している。補強側片部４３２には、桁側片部４２２に対して窪んだ窪み部４３５と、窪み部４３５よりも上方および下方において桁側片部４２２側に突出した当接突部としての上下のリブ４３６，４３７とが形成されている。窪み部４３５は、補強材４３の長手方向に延びて形成されており、根太掛け２８を桁側片部４２２に固定しているネジ１５のネジ部が配置される空間（逃げ空間）を形成している。リブ４３６，４３７は、桁側片部４２２に当接している。リブ４３７は、根太掛け２８のネジ止め部分よりも下方において固定片部２８１との間に桁側片部４２２を挟み込んでいる。補強側片部４３３には、前述した窪み部４３５およびリブ４３６，４３７が形成されていると共にＺ軸方向において補強側片部４３２とは逆向きとされている。補強側片部４３２，４３３は、その長手方向における端部、本実施形態では両端部において桁側片部４２２，４２３に締結具であるネジ１６によってネジ止めされている。補強側片部４３３のリブ４３６，４３７は桁側片部４２３に当接している。補強下片部４３４には、その長手方向に沿った両側縁部から下方に突出した脚部４３８が形成されており、この両脚部４３８が凹部４２６を間にして桁下片部４２４に当接している。
【００２２】
第二バルコニー部１２は、前述した支柱２１，２２、妻梁２３，２４、複数の根太６０および複数のデッキ材７０を備えている点で第一バルコニー部１１と同構成であり、連結桁４０ではなく前桁５０を桁材として備えている点で第一バルコニー部１１と構成が異なっている。また、妻梁２３，２４の上方および前桁５０の上方には手摺２６が設置されている。
【００２３】
前桁５０は、Ｘ軸方向に沿って配置されていると共にその両端で支柱２１，２２に固定されている。前桁５０は、アルミ押出形材によって形成されており、図３に示すように、前桁上片部５１、一対の前桁側片部５２，５３および前桁下片部５４を有しており、内部に中空部５５が形成されている。前桁側片部５２には、根太掛け２８がネジ止めされており、この根太掛け２８と連結桁４０の桁側片部４２３にネジ止めされた根太掛け２８とに複数の根太６０が掛けられてボルト止めされている。これら複数の根太６０の上には、デッキ材７０が前述した第一バルコニー部１１と同様に複数並設されている。
また、複数の根太６０のＺ軸方向における前桁５０側の端部上面には、雨樋部材９０がネジ止めされている。雨樋部材９０は、根太６０にネジ止めされた底片部９１と、底片部９１から立ち上げられた一対の側片部９２，９３とを有している。側片部９２は、前桁５０に隣り合うデッキ材７０の掛け片部７２が掛けられている。本実施形態では側片部７２２が側片部９２に当接しているが、側片部９２が底片部９１および側片部９２，９３に囲まれた雨樋空間に配置されていれば側片部７２２と離間していてもよい。側片部９３の上端部は、前桁上片部５１から連結桁４０側に延出したカバー片部５１１に覆われている。この雨樋部材９０があるので、前桁５０およびデッキ材７０間に入り込む雨水はそのまま下方に落ちずに雨樋部材９０によって排水される。
【００２４】
第二バルコニー部１２における複数のデッキ材７０のうち連結桁４０に隣り合うデッキ材７０の雨樋形状部７３の側片部７３２には、シール部材１７が取り付けられており、シール部材１７は取付片部４２７に当接している。この取付片部４２７に取り付けられたカバー材４５およびデッキ材７０間に入り込む雨水はそのまま落ちずに雨樋形状部７３によって排水される。
なお、シール部材１７が当接した取付片部４２７とカバー材４５との間はシーリングされている。
【００２５】
前述したバルコニー１０において、連結桁４０および支柱２１（２２）の接合部下方には雨樋１８が設置されており、前桁５０および支柱２１（２２）の接合部下方には雨樋１９が設置されている（図２参照）。
雨樋１８は、連結桁４０に隣り合う雨樋部材８０および雨樋形状部７３の長手方向における端部から排水される雨水を受けられるように、連結桁４０の長手方向に沿った両側縁部側にわたって配置されている。雨樋１８は、更に妻梁２３（２４）および支柱２１（２２）の接合部下方にまでわたって配置されている。
雨樋１９は、雨樋部材９０の長手方向における端部から排水される雨水を受けられるように、前桁５０、支柱２１（２２）および妻梁２３（２４）の接合部下方全体にわたって配置されている。
【００２６】
［本実施形態の効果］
（１）本実施形態では、連結桁４０の桁本体４２の長手方向に延びた補強材４３が中空部４１に配置されることで桁本体４２が補強されているので、デッキ材７０が載せられた根太６０などを両根太掛け２８で支えた場合に連結桁４０に加わる荷重に耐えられるだけの剛性を得ることができる。このため、桁本体４２のＹ軸方向における上下寸法を大きくして剛性を高める必要がなくなり、連結桁４０の小型化を図ることができる。また、桁本体４２を小型化できるので軽量にもなり、補強材４３を中空部４１に配置する前における桁本体４２の加工や施工の作業負担を軽減することができる。更に、前桁５０および連結桁４０の上面を略同じ高さ位置に揃えた場合でも、連結桁４０の下面の高さ位置を前桁５０の下面の高さ位置と同等の位置若しくは上方の位置に配置可能な寸法設計にすることができ、バルコニー１０の意匠性を向上することができる。
（２）補強上片部４３１が桁上片部４２１に当接しており、補強下片部４３４が桁下片部４２４に当接しているので、連結桁４０の両根太掛け２８に加わる荷重によって桁本体４２が下方に撓められようとしても、補強上片部４３１および補強下片部４３４によって桁本体４２の撓みを抑えることができる。
（３）根太掛け２８を桁側片部４２２，４２３に固定するネジ１５の逃げ空間を形成している補強材４３の窪み部４３５がＸ軸方向に延びて形成されているので、根太掛け２８をネジ止めした状態であっても、補強材４３をネジ１５に干渉させずに中空部４１に挿入することができ、施工性を向上することができる。
（４）補強側片部４３２，４３３にリブ４３６，４３７が形成されているので、リブ４３６，４３７が桁側片部４２２，４２３に当接することで当該リブ４３６，４３７を除く部分が桁側片部４２２，４２３に非当接となり、補強材４３の桁本体４２に対する接触領域を減らすことができる。このため、桁本体４２の中空部４１に補強材４３を挿入する際に生じる摩擦抵抗力を小さくでき、作業負担を軽減することができる。
（５）リブ４３７が窪み部４３５よりも下方に配置されているので、根太掛け２８にデッキ材７０および根太６０の荷重が加わった際に根太掛け２８のネジ止め部分のほか固定片部２８１の下部が桁側片部４２２，４２３に押し当てられるが、リブ４３７がネジ止め部分よりも下方の位置で桁側片部４２２，４２３に当接することで、桁本体４２を補強することができる。
（６）桁本体４２の長手方向における端部から中空部４１に補強材４３を挿入した後、作業者は桁本体４２の長手方向の端部側の位置からほとんど移動することなく補強材４３を桁本体４２の長手方向における端部にネジ止めすることができ、作業負担を軽減することができる。
【００２７】
［変形例］
本発明は、以上の実施形態で説明した構成のものに限定されず、本発明の目的を達成できる範囲での変形例は、本発明に含まれる。
例えば、前記実施形態では、補強側片部４３２，４３３は桁側片部４２２，４２３に当接しているが、離間していてもよい。
また、補強上片部４３１および補強下片部４３４は桁上片部４２１および桁下片部４２４に当接しているが、若干の隙間を隔てて離間した位置に配置されていてもよい。このような構成であっても、桁本体４２が多少撓んだ際に補強上片部４３１および補強下片部４３４が桁上片部４２１および桁下片部４２４に当接するので、桁本体４２を補強材４３によって補強することができる。
前記実施形態では、根太掛け２８は補強材４３にネジ止めされており、補強材４３が桁本体４２の長手方向における端部にネジ止めされているが、リベットなどで締結されていてもよい。
前記実施形態では、補強側片部４３２，４３３に窪み部４３５が形成されているが、この構成を省略してもよい。この場合には、根太掛け２８は、ネジ１５によって桁側片部４２２，４２３および補強側片部４３２，４３３にネジ止めされてもよく、また、根太掛け２８に相当する構成が桁本体４２と一体形成されていてもよい。
前記実施形態では、補強側片部４３２，４３３にはリブ４３６，４３７が形成されているが、これらの構成を省略してもよい。
前記実施形態では、補強材４３が桁本体４２の長手方向における両端部にネジ止めされているが、一方の端部だけネジ止めされていてもよく、また両端部とは異なる中間部でネジ止めされていてもよい。更にネジ止めではなくリベット止めでもよい。
前記実施形態では、補強下片部４３４には脚部４３８が形成されているが、桁下片部４２４に凹部４２６が形成されていない場合には、脚部４３８の構成を省略して補強下片部４３４の本体部分が桁下片部４２４に当接する構成とされてもよい。
前記実施形態では、連結桁４０は、バルコニー１０の奥行方向に沿って配置されているが、間口方向に沿って配置されていてもよい。この場合、間口方向における連結桁４０の左右に第一、第二バルコニー部のデッキ材７０が配置される。
【符号の説明】
【００２８】
１，４０…連結桁（桁材）、１０…バルコニー、１１…第一バルコニー部、１２…第二バルコニー部、１５，１６…ネジ、１７，１０１…シール部材、１８，１９…雨樋、２，５０…前桁（桁材）、２１，２２…支柱、２３，２４…妻梁、２５…床部、２６…手摺、２８…根太掛け、２８１…固定片部、２８２…根太受け片部、３Ａ，３Ｂ，７０…デッキ材、４１…中空部、４２…桁本体、４２１…桁上片部、４２２，４２３…桁側片部、４２４…桁下片部、４３…補強材、４３１…補強上片部、４３２，４３３…補強側片部、４３４…補強下片部、４３５…窪み部、４３６，４３７…リブ（当接突部）、６０…根太。
【図１】
2019065582.tif 000003
【図２】
2019065582.tif 000004
【図３】
2019065582.tif 000005
【図４】
2019065582.tif 000006